(57)【要約】【課題】  棒材の外周面を化粧シートで被覆して貼着すると共に前記化粧シートの幅方向両側端部を凹溝内に納め、重ね合わせのない継ぎ目として凹溝内面に貼着した手摺り材および手摺り材の取付構造を提供することである。【解決手段】  棒材の外周面の長尺方向に一条の断面略コの字状の凹溝を設け、化粧シートを前記棒材の外周面を覆うように貼着すると共に前記化粧シートの両側端部を前記凹溝内面に貼着した手摺り材において、前記両側端部の一方の側端部は前記凹溝の一方の内壁に前記凹溝の底壁の近傍まで延びて貼着され、他方の側端部は前記凹溝の他方の内壁および前記底壁に沿って前記一方の内壁に当接するまで延びて貼着、または前記一方の内壁の近傍まで延びて貼着されてなることを特徴とする手摺り材。【選択図】        図２
2015014132.tif 000002
【特許請求の範囲】
【請求項１】
棒材の外周面の長尺方向に一条の断面略コの字状の凹溝を棒材の軸に平行に設け、帯状の化粧シートを前記棒材の外周面を覆うように貼着すると共に前記化粧シートの長尺方向の両側端部を前記凹溝内に折り込んで前記凹溝内面に貼着した手摺り材において、前記両側端部の一方の側端部は前記凹溝の対向する内壁の一方の内壁に前記凹溝の両内壁を繋ぐ底壁の近傍まで延びて貼着され、前記両側端部の他方の側端部は前記凹溝の対向する内壁の他方の内壁および前記他方の内壁に繋がる前記底壁に沿って前記一方の内壁に当接するまで延びて、または前記一方の内壁の近傍まで延びて貼着されて前記一方の内壁と前記底壁で形成される角部または角部近傍に前記化粧シートの長尺方向の両側端部で形成される隙間からなる継ぎ目を有することを特徴とする手摺り材。
【請求項２】
手摺りとなる前記手摺り材の少なくとも一方の端面に前記隙間からなる継ぎ目の位置が表示されていることを特徴とする請求項１記載の手摺り材。
【請求項３】
請求項１、２のいずれかに記載の手摺り材を、階段の壁面に固定金具を介して該固定金具の手摺り受け部に前記凹溝を下側にした態様で取り付けて手摺りとする手摺り材の取付構造であって、前記手摺り材を前記凹溝の前記両内壁と前記底壁で形成される２つの角部の内で、前記隙間からなる継ぎ目のある角部が壁面から遠い位置となるように取り付けることを特徴とする手摺り材の取付構造。
【発明の詳細な説明】
【技術分野】
【０００１】
本発明は、手摺り材、特に断面形状が円形状、楕円形状、あるいは、角部を曲線状とした多角形状の棒材の外周面に化粧シートを貼着した手摺り材およびこの手摺り材の取付構造に関するものである。
【背景技術】
【０００２】
階段や室内の壁面等に固定金具等を介して取り付けされる手摺り材としては、握り易さ、意匠性、あるいは、コスト等の観点から、断面形状が円形状、楕円形状、あるいは、角部を大きな曲線とした多角形状の棒材の外周面に化粧シートを貼着した手摺り材が広く使用されている。
【０００３】
この種の手摺り材として、棒材の外周面の長尺方向に一条の凹溝を棒材の軸に平行に設け、棒材の外周面を帯状の化粧シートで貼着し、化粧シートの長手方向両側端部を前記凹溝内に納めると共にこれら両側端部を重ね合わせて前記凹溝内面に貼着したものがある（たとえば、特許文献１参照）。
【０００４】
この特許文献１に開示された「丸棒手摺り」は、断面略円形状の丸棒部材の外周面に、断面略円形状の丸棒部材の軸方向に亘る断面コの字状の凹溝を形成し、前記凹溝が形成された部位とは周方向反対側の外周面に、化粧シートの幅方向略中央部を当接させ、前記化粧シートを前記凹溝に向けて外周面に沿わせて貼着し、前記化粧シートの幅方向両側端部を、前記凹溝内に納めるとともに、これら両側端部の端縁部を重ね合わせて前記凹溝内面に貼着するようにしたものである。
【０００５】
特許文献１に開示された「丸棒手摺り」は、前記化粧シートの幅方向両側端部を、前記凹溝内に納めて重ね合わせて凹溝内面に貼着することにより、丸棒部材が露出することなく、前記化粧シートの継ぎ目を目立ち難くできるという効果を奏するものであるが、特許文献１の図６に示された施工状態で、たとえば、階段の「手摺り」として設けられる場合に「丸棒手摺り」の前記凹溝の底部に化粧シートの継ぎ目がある場合や「丸棒手摺り」の設置態様によっては前記凹溝の内側面に前記化粧シートの継ぎ目がある場合（たとえば、図６のように壁面が右側にあるような態様の場合に、図６において化粧シートの継ぎ目が壁面側の前記凹溝の内側面に位置する場合）に階段の下側から前記化粧シートの継ぎ目が見えるという問題がある。
【０００６】
さらに、通常、前記化粧シートは汚れや傷がつき難く、汚れが付着した場合には拭き取り易いように、表面に硬化型樹脂からなる表面保護層が設けられているが、化粧シートの重ね合わせてなる継ぎ目は、この種の化粧シートの接着剤として一般に用いられている、たとえば、酢ビエマルジョン糊等の木工用の接着剤では接着しないので、１液や２液反応タイプ等の接着剤を選択して用いなければならず、コストアップになるという問題がある。
【先行技術文献】
【特許文献】
【０００７】
【特許文献１】特開２０１１−０６９０８１号公報
【発明の概要】
【発明が解決しようとする課題】
【０００８】
そこで本発明は、棒材の外周面を化粧シートで被覆して貼着すると共に前記化粧シート
の幅方向両側端部を凹溝内に納め、重ね合わせのない継ぎ目として凹溝内面に貼着した手摺り材および階段に代表される手摺りの下部が階段下側から目に見える場所に取り付けた際に、階段下側から前記凹溝内の継ぎ目が見え難い手摺りとする手摺り材の取付構造を提供することである。
【課題を解決するための手段】
【０００９】
本発明者は、上記課題を達成するために、請求項１記載の本発明は、棒材の外周面の長尺方向に一条の断面略コの字状の凹溝を棒材の軸に平行に設け、帯状の化粧シートを前記棒材の外周面を覆うように貼着すると共に前記化粧シートの長尺方向の両側端部を前記凹溝内に折り込んで前記凹溝内面に貼着した手摺り材において、前記両側端部の一方の側端部は前記凹溝の対向する内壁の一方の内壁に前記凹溝の両内壁を繋ぐ底壁の近傍まで延びて貼着され、前記両側端部の他方の側端部は前記凹溝の対向する内壁の他方の内壁および前記他方の内壁に繋がる前記底壁に沿って前記一方の内壁に当接するまで延びて、または前記一方の内壁の近傍まで延びて貼着されて前記一方の内壁と前記底壁で形成される角部または角部近傍に前記化粧シートの長尺方向の両側端部で形成される隙間からなる継ぎ目を有することを特徴とするものである。
【００１０】
また、請求項２記載の本発明は、請求項１記載の手摺り材において、前記手摺り材の少なくとも一方の端面に前記隙間からなる継ぎ目の位置が表示されていることを特徴とするものである。
【００１１】
また、請求項３記載の本発明は、請求項１、２のいずれかに記載の手摺り材を、階段の壁面に固定金具を介して該固定金具の手摺り受け部に前記凹溝を下側にした態様で取り付けて手摺りとする手摺り材の取付構造であって、前記手摺り材を前記凹溝の前記両内壁と前記底壁で形成される２つの角部の内で、前記隙間からなる継ぎ目のある角部が壁面から遠い位置となるように取り付けることを特徴とするものである。
【発明の効果】
【００１２】
本発明は、請求項１記載の構成とすることにより、１液や２液反応タイプ等の接着剤を用いることなく、木工用の接着剤で接着することができるので、取り扱いが容易であると共に安価なものとすることができる。また、凹溝内の化粧シートの両側端部を重ね合わせ継ぎ目とすることなく隙間を有する継ぎ目となるように一方の内壁とこれに繋がる底壁で構成される角部または角部近傍に位置する構成としたので、通常、手摺り材は前記凹溝の箇所が目に見え難い下側となるように壁面等に取り付けられて手摺りとなるが、階段に代表される手摺りの下側が目に見える場所の壁面に取り付けられて手摺りとなる場合において、凹溝内の隙間からなる継ぎ目が目に見え難い位置となるように取り付けることができる手摺り材とすることができる。
【００１３】
また、本発明は、請求項２記載の構成とすることにより、手摺り材の長尺方向のいずれの側を壁面側とするのかが施工者に一目で理解できる。
【００１４】
また、本発明は、請求項３記載の構成とすることにより、前記凹溝の前記隙間からなる継ぎ目が階下から目に見え難い位置となるように確実に、かつ、容易に施工することができる。
【図面の簡単な説明】
【００１５】
【図１】本発明にかかる手摺り材の横断面図であって、（ａ）は断面円形状の棒状手摺り材、（ｂ）は角部を曲線状とした断面三角形状の棒状手摺り材である。
【図２】（ａ）は図１（ａ）における前記凹溝４における前記化粧シート２の長尺方向の両側端部の位置関係を示す第１態様の拡大断面図、（ｂ）は図１（ａ）における前記凹溝４における前記化粧シート２の長尺方向の両側端部の位置関係を示す第２態様の拡大断面図である。
【図３】（ａ）は手摺り材を取り付けて手摺りとした状態を示す図、（ｂ）は手摺り材の施工状態を図解的に示す断面図である。
【図４】表示ステッカーの一例を示す図である。
【発明を実施するための形態】
【００１６】
上記の本発明について、図面等を用いて以下に詳しく説明する。
図１は本発明にかかる手摺り材の横断面図であって、（ａ）は断面円形状の棒状手摺り材、（ｂ）は角部を曲線状とした断面三角形状の棒状手摺り材、図２（ａ）は図１（ａ）における前記凹溝における前記化粧シートの長尺方向の両側端部の位置関係を示す第１態様の拡大断面図、（ｂ）は図１（ａ）における前記凹溝における前記化粧シートの長尺方向の両側端部の位置関係を示す第２態様の拡大断面図、図３（ａ）は手摺り材を取り付けて手摺りとした状態を示す図、（ｂ）は手摺り材の施工状態を図解的に示す断面図、図４は表示ステッカーの一例を示す図であり、図中の１，１’は手摺り材、２は化粧シート、３，３’は棒材、４，４’は凹溝、５は手摺り受部、６はアーム部、７は固定基部、８は桟部材、２１，２２は化粧シートの側端部、４１，４２は凹溝の内壁、４３は凹溝の底壁、Ｈは表示ステッカー、Ｋは固定金具、Ｓは隙間からなる継ぎ目、Ｔは手摺り、Ｗは壁面をそれぞれ示す。
【００１７】
図１（ａ）は本発明にかかる断面円形状の棒状手摺り材であって、手摺り材１は断面円形状の棒材３の外周面の長尺方向〔図１（ａ）上、紙面の表面から裏面方向〕に一条の断面コの字状の凹溝４を棒材３の軸に平行に設け、帯状の化粧シート２を前記棒材３の外周面を覆うように貼着すると共に前記化粧シート２の長尺方向の両側端部を前記凹溝４内に折り込んで前記凹溝４内面に貼着したものである。
【００１８】
図１（ｂ）は本発明にかかる角部を曲線状とした断面三角形状の棒状手摺り材であって、手摺り材１’は角部を曲線状とした断面三角形状の棒材３’の外周面の一つの曲線状角部の長尺方向〔図１（ｂ）上、紙面の表面から裏面方向〕に一条の断面コの字状の凹溝４’を棒材３’の軸に平行に設け、帯状の化粧シート２を前記棒材３’の外周面を覆うように貼着すると共に前記化粧シート２の長尺方向の両側端部を前記凹溝４’内に折り込んで前記凹溝４’内面に貼着したものである。
【００１９】
図１（ａ）と図１（ｂ）は、棒材の断面形状が異なるだけ、すなわち、図１（ａ）は断面円形状の棒材であり、図１（ｂ）は角部を曲線状とした断面三角形状の棒材である点が異なるだけであり、これ以後、図１（ａ）の断面円形状の棒材を例に挙げて説明する。
【００２０】
図２（ａ）は図１（ａ）における前記凹溝４における前記化粧シート２の長尺方向の両側端部の位置関係を示す第１態様の拡大断面図であって、前記化粧シート２の長尺方向の両側端部２１、２２の一方の側端部２１は前記凹溝４の対向する内壁４１、４２の一方の内壁４１に前記凹溝４の前記内壁４１に繋がる底壁４３の近傍まで延びて貼着され、前記他方の側端部２２は前記凹溝４の対向する内壁４２およびこれに繋がる前記底壁４３に沿って前記一方の内壁４１に当接するまで延びて前記内壁４２、前記底壁４３に貼着され、前記両側端部２１、２２が重ね合わさることがなく、隙間からなる継ぎ目Ｓを前記内壁４１の前記底壁４３側近傍に有するものである。
【００２１】
図２（ｂ）は図１（ａ）における前記凹溝４における前記化粧シート２の長尺方向の両側端部の位置関係を示す第２態様の拡大断面図であって、前記化粧シート２の長尺方向の両側端部２１、２２の一方の側端部２１は前記凹溝４の対向する内壁４１、４２の一方の内壁４１に前記凹溝４の前記内壁４１に繋がる底壁４３の近傍まで延びて貼着され、前記他方の側端部２２は前記凹溝４の対向する内壁４２およびこれに繋がる前記底壁４３に沿って前記一方の内壁４１の近傍まで延びて前記内壁４２、前記底壁４３に貼着され、前記両側端部２１、２２が重ね合わさることがなく、隙間からなる継ぎ目Ｓを前記内壁４１と前記底壁４３で形成される角部に有するものである。図２においては断面略コの字状の前記凹溝４の４つの角部を略直角として示したが、実際の製品においては、いずれの角部も０．５〜１．０Ｒの曲面となるものである。
【００２２】
図２に示す構成とすることにより、前記棒材３に前記化粧シート２を貼着して手摺り材１とする際に、前記化粧シート２の長尺方向の両側端部２１、２２の重ね合わせ継ぎ目による問題、つまり、重ね合わせ継ぎ目の箇所は木工用の接着剤を用いて接着することができないという問題を解消できるので、取り扱いが容易であると共に安価なものとすることができる。また、手摺り材１の前記凹溝４内で前記化粧シート２の長尺方向の両側端部２１、２２を重ね合わすことがなく、前記内壁４１と前記底壁４３で形成される角部または角部近傍という限られた箇所に隙間からなる継ぎ目Ｓを備えた手摺り材１とすることにより、階段に代表される手摺りの下側が目に見える場所の壁面に取り付けられて手摺りとなる場合において、凹溝内の隙間からなる継ぎ目Ｓが目に見え難い位置となるように取り付けることができる手摺り材とすることができる。
【００２３】
図３（ａ）は手摺り材を取り付けて手摺りとした状態を示す図、（ｂ）は手摺り材の施工状態を図解的に示す断面図であって、手摺り材１は前記凹溝４を下側にして手摺り受部５とアーム部６と固定基部７とからなる固定金具Ｋの前記手摺り受部５上にねじ等により固定されると共に、固定金具Ｋは固定基部７において壁面Ｗにねじ等で固定される。必要に応じて壁面Ｗの裏面には保持強度を向上させる桟部材８等が配設されるものである。
【００２４】
次に、図３を例に挙げて、手摺り材１の壁面への取付構造について説明する。図３の場合、階段の左側の壁面Ｗに固定金具Ｋを介して手摺り材１が取り付けられて手摺りとなる。この場合、本発明の手摺り材１は、前記凹溝４の一方の内壁４１（図２参照）とこれに繋がる底壁４３で形成される角部または角部近傍に化粧シート２の長尺方向の両側端部２１、２２で形成される隙間からなる継ぎ目Ｓを有しており、階段の階下から斜め左上に見上げた時に、この隙間からなる継ぎ目Ｓが目に見え難い位置となるように取り付ける必要があり、これを満足するためには、前記凹溝４の両内壁４１、４２と底壁４３で構成される２つの角部の内で、前記隙間からなる継ぎ目Ｓのある角部が壁面Ｗから遠い位置となるように手摺り材１を取り付ける取付構造とすればよいものである。
【００２５】
そして、上記施工を容易とするために、前記手摺り材１の少なくとも一方の端面に、前記手摺り材１の長尺方向の両側端縁のいずれの側に前記凹溝４内の前記隙間からなる継ぎ目Ｓがあるかを表示する、たとえば、図４に示すような表示ステッカーＨを貼着するなり、あるいは、矢印（←）でその方向を直接表示するなり、あるいは、関係者が理解できる何等かの表示をすることで、前記隙間からなる継ぎ目Ｓを階下から見上げた時に目に見え難い施工を容易に行うことができる。たとえば、図１（ａ）の棒状手摺り材１においては、図４に示す表示ステッカーＨは紙面の裏面方向側の端面に貼着されることになる。
【００２６】
次に本発明の手摺り材１に用いる材料について説明する。まず、前記棒材３に用いる材料としては、単板積層材（ＬＶＬ）、集積材、パーティクルボード、中密度繊維板（ＭＤＦ）、木粉プラスチックなどの木質系材料に限ることなく、合成樹脂系材料や金属系材料なども適宜使用することができるものである。
【００２７】
また、化粧シート２としては、木目模様やその他階段や室内意匠に合わせた種々の模様が印刷形成された合成樹脂製シートや紙、不織布、織布、また、これらの積層体、あるいは、突板等を用いることができるものである。
【符号の説明】
【００２８】
１，１’                              手摺り材
２                                    化粧シート
３，３’                              棒材
４，４’                              凹溝
５                                    手摺り受部
６                                    アーム部
７                                    固定基部
８                                    桟部材
２１，２２                            化粧シートの側端部
４１，４２                            凹溝の内壁
４３                                  凹溝の底壁
Ｈ                                    表示ステッカー
Ｋ                                    固定金具
Ｓ                                    隙間からなる継ぎ目
Ｔ                                    手摺り
Ｗ                                    壁面
【図１】
2015014132.tif 000003
【図２】
2015014132.tif 000004
【図３】
2015014132.tif 000005
【図４】
2015014132.tif 000006